(57)【要約】【課題】車室内への水の侵入を確実に防止するとともに、ワイヤハーネスの交換作業を容易に行うことを可能にする。【解決手段】ワイヤハーネスの配索構造は、インナパネル１の第一の面１ａから第二の面１ｂにわたって貫通するように配索される第一のワイヤハーネス８を有する。第一のワイヤハーネス８は、インナパネル１の第一の面１ａ側で最下点Ｐ１を形成するように曲げられる。インナパネル１は、第一のワイヤハーネス８が第一の面１ａから第二の面１ｂに貫通するように挿通される第一の開口部１０を有する。第一の開口部１０は、第一のワイヤハーネス８が最下点Ｐ１を形成した状態で挿通されるように、上下方向に開口する。【選択図】図１
2018034632.tif 000002
【特許請求の範囲】
【請求項１】
第一の面及び第二の面を有するインナパネルと、前記インナパネルに設けられるワイヤハーネスとを備えるワイヤハーネスの配索構造において、
前記ワイヤハーネスは、前記第一の面から前記第二の面に前記インナパネルを貫通するように配索される第一のワイヤハーネスを有し、前記第一のワイヤハーネスは、前記インナパネルの前記第一の面側で最下点を形成するように曲げられてなり、
前記インナパネルは、前記第一のワイヤハーネスが前記第一の面から前記第二の面に貫通するように挿通される第一の開口部を有し、前記第一の開口部は、前記第一のワイヤハーネスが前記最下点を形成した状態で挿通されるように、上下方向に開口してなることを特徴とするワイヤハーネスの配索構造。
【請求項２】
前記ワイヤハーネスは、前記インナパネルの前記第一の面側で最下点を形成するように曲げられてなる第二のワイヤハーネスを有し、前記第二のワイヤハーネスは、前記最下点を形成した状態で固定部材により前記インナパネルの前記第一の面に固定されており、
前記インナパネルは、前記第二のワイヤハーネスが前記第一の面から前記第二の面に前記インナパネルを貫通するように挿通される第二の開口部を有しており、
前記固定部材は、前記第一のワイヤハーネスの前記最下点よりも、下側でかつ前記第二の開口部寄りの位置にオフセットされてなる請求項１に記載のワイヤハーネスの配索構造。
【発明の詳細な説明】
【技術分野】
【０００１】
本発明は、バックドアにおけるワイヤハーネスの配線構造に関する。
【背景技術】
【０００２】
近年の車両は、バックドアを樹脂により構成したものが主流になりつつある。バックドアは、アウタパネル及びインナパネルを樹脂製とすることで、鋼板製のものと比較して大幅な軽量化を実現でき、また、スポイラ等の外装部品をアウタパネルに一体化することも可能で、部品点数の低減化、組付作業の簡素化に有効である。
【０００３】
バックドアには、デフォッガ、リアワイパ、リクエストスイッチ、ドアロックスイッチ、バックカメラ、ハイマウントストップランプ等、種々の電装品が装着される。各電装品は、ワイヤハーネスを介してバッテリ及び制御機器に接続されており、電力の供給及び制御信号の送信により、各々所定の機能を発揮する。
【０００４】
ワイヤハーネスは、車体側からバックドアの内部空間に導入されるとともに、クランプを介してインナパネルに保持されつつ、その分岐配線が各電装品に接続されるように配索される。
【０００５】
ところで、ワイヤハーネスの配索構造では、雨水等がワイヤハーネスを伝って車室等に侵入することを防止するように構成される。例えば特許文献１には、作業孔の下開口縁からアウタパネルに向かって延びるマスチックフランジが設けられたインナパネルに対し、ワイヤハーネスを支持するクランプをマスチックフランジからオフセットさせてなる構造が開示されている。この構造では、ワイヤハーネスを伝う水を、マスチックフランジからオフセットさせたクランプによって滴下させる。これにより、この水がマスチックフランジを伝って車室内に侵入することを防止している。
【０００６】
また、特許文献２には、ワイパモータとエンジンルームとの間に配索されたワイヤハーネスの最下点を、カウル部とエンジンルームとの境界部よりも低い位置になるように、ワイヤハーネスを押し下げるガイド部を備えた構造が開示されている。この構造では、ガイド部によってワイヤハーネスの一部を押し下げた状態で、このワイヤハーネスをクランプによりカウル部の下部のカウルトップパネルに固定している（同文献の段落００１３及び図１参照）。これにより、ワイヤハーネスを伝って流れる水を、この最下点からカウル部のカウルトップパネルに落下させ、エンジンルームへの水の侵入を防止している。
【先行技術文献】
【特許文献】
【０００７】
【特許文献１】実開平７−３７８２３号公報
【特許文献２】特開２０１６−９７８５７号公報
【発明の概要】
【発明が解決しようとする課題】
【０００８】
上記のように、従来におけるワイヤハーネスの配索構造は、水がワイヤハーネスを伝って車室等に侵入することを防止する構造を有しており、その構造を維持するためにクランプを使用してワイヤハーネスを固定する。しかしながら、例えばインナパネルとアウタパネルの間に配索されるワイヤハーネスをクランプにより固定すると、経年劣化や損傷等の理由により、ワイヤハーネスの交換が必要となった場合に、その交換作業が困難となるおそれがある。
【０００９】
すなわち、交換作業では、既存の古いワイヤハーネスをバックドアから取り外す必要があり、インナパネルとアウタパネルの間の空間に配索されているワイヤハーネスを引き抜かなければならない。その際、インナパネルに対するクランプの固定を解除すると、クランプはワイヤハーネスに取り付けられたままの状態となる。
【００１０】
この状態で、ワイヤハーネスをインナパネルから引き抜こうとすると、クランプがインナパネルの一部又はアウタパネルの一部に掛かり、引き抜きが困難となる。このため、インナパネルとアウタパネルとの間の空間において、ワイヤハーネスは、クランプ等の固定部材を極力使用せずに配されることが望ましい。また、クランプを使用するにしても、ワイヤハーネスを交換する際の作業性を考慮して好適な位置に配置することが望ましい。  
【００１１】
本発明は、上記の事情に鑑みて為されたものであり、車室内への水の侵入を確実に防止するとともに、交換作業を容易に行うことが可能なワイヤハーネスの配索構造を提供することを目的とする。
【課題を解決するための手段】
【００１２】
本発明は、上記の課題を解決するためのものであり、第一の面及び第二の面を有するインナパネルと、前記インナパネルに設けられるワイヤハーネスとを備えるワイヤハーネスの配索構造において、前記ワイヤハーネスは、前記第一の面から前記第二の面に前記インナパネルを貫通するように配索される第一のワイヤハーネスを有し、前記第一のワイヤハーネスは、前記インナパネルの前記第一の面側で最下点を形成するように曲げられてなり、前記インナパネルは、前記第一のワイヤハーネスが前記第一の面から前記第二の面に貫通するように挿通される第一の開口部を有し、前記第一の開口部は、前記第一のワイヤハーネスが前記最下点を形成した状態で挿通されるように、上下方向に開口してなることを特徴とする。
【００１３】
かかる構成によれば、上下方向に開口する第一の開口部に第一のワイヤハーネスを挿通すると、インナパネルの第一の面側で、この第一のワイヤハーネスの一部を下方に凸となるように湾曲させ、その下端部を最下点とすることができる。これにより、第一のワイヤハーネスを伝う水を、この最下点から落下させることができる。したがって、インナパネルの第一の面にアウタパネルを重ねて固定してバックドアを構成すれば、車室側に位置することとなるインナパネルの第二の面側に水が浸入することを確実に防止できる。
【００１４】
第一のワイヤハーネスは、インナパネルの第一の開口部に挿通されることで湾曲状に変形し、その状態が維持されることになる。このため、クランプ等の固定部材を使用することなく、第一のワイヤハーネスをインナパネルの第一の面側に配索できる。経年劣化又は損傷等の理由により、第一のワイヤハーネスの交換する場合、既存のものをインナパネルから除去する必要がある。この場合、固定部材を使用していると、その固定の解除が必要となる。また、この固定解除後に、第一のワイヤハーネスは、固定部材が取り付けられたままの状態で引き抜かれることとなるが、その際に、固定部材がインナパネルの一部又はアウタパネルの一部に掛かり、引き抜きが困難又は不可能となるおそれがある。本発明では、固定部材を使用することなく第一の面側での配索を行うことができるため、第一のワイヤハーネスの交換作業を容易に行うことができる。
【００１５】
上記の配索構造において、前記ワイヤハーネスは、前記インナパネルの前記第一の面側で最下点を形成するように曲げられてなる第二のワイヤハーネスを有し、前記第二のワイヤハーネスは、前記最下点を形成した状態で固定部材により前記インナパネルの前記第一の面に固定されており、前記インナパネルは、前記第二のワイヤハーネスが前記第一の面から前記第二の面に前記インナパネルを貫通するように挿通される第二の開口部を有しており、前記固定部材は、前記第一のワイヤハーネスの前記最下点よりも、下側でかつ前記第二の開口部寄りの位置にオフセットされてなることが望ましい。
【００１６】
かかる構成によれば、第二のワイヤハーネスをインナパネルの第一の面側で最下点を形成するように曲げることで、第一のワイヤハーネスと同様に、第二のワイヤハーネスを伝う水を、第一の面側で、この最下点から落下させることができ、車室側への水の侵入を確実に防止できる。第二のワイヤハーネスをインナパネルの第一の面に固定する固定部材は、第一のワイヤハーネスの最下点の下側でこの最下点よりも第二の開口部寄りの位置にオフセットされるため、第一のワイヤハーネスの最下点から落下する水がこの固定部材に付着することがない。
【００１７】
これにより、固定部材の劣化を防止でき、固定部材から第二のワイヤハーネスに水が伝わることも防止できる。固定部材が第二の開口部寄りの位置に配置されることにより、第二のワイヤハーネスを交換する場合には、この固定部材を第二の開口部からインナパネルの第二の面側へと容易に引き抜くことができる。これにより第二のワイヤハーネスの交換作業を容易に行うことが可能になる。
【発明の効果】
【００１８】
本発明によれば、車室内への水の侵入を確実に防止するとともに、ワイヤハーネスの交換作業を容易に行うことが可能になる。
【図面の簡単な説明】
【００１９】
【図１】インナパネルの第一の面を示す背面図である。
【図２】図１の領域Ａを拡大して示す斜視図である。
【図３】インナパネルの第二の面を示す正面図である。
【図４】図３の領域Ｂを拡大して示す斜視図である。
【発明を実施するための形態】
【００２０】
以下、本発明を実施するための形態について図面を参照しながら説明する。本実施形態において、バックドアは、縦開き型であり、外面を形成するアウタパネルと、アウタパネルに重ねられて一体化されるインナパネルと、車室側でインナパネルに着脱自在に固定されるトリムボードとを有する。各パネルは樹脂製であり、インナパネルとアウタパネルとの間、及びインナパネルとトリムボードとの間には、各種の電装品及びワイヤハーネスを収容する空間が形成される。
【００２１】
図１は、上記構成のバックドアのうち、インナパネル１と、バックドアに装着される各種の電装品２〜７と、各電装品２〜７に接続されるワイヤハーネス８，９とを示す。インナパネル１は、アウタパネルに面する第一の面１ａと、トリムボードに面する第二の面１ｂとを有する。本実施形態において、第一の面１ａは、バックドアが閉じた状態で、車両の進行方向後方側の面（背面又は後面）に相当し、第二の面１ｂは、車両の進行方向前方側の面（正面又は前面）に相当する。
【００２２】
バックドアに装着される電装品２〜７としては、デフォッガ２、リアワイパ３、ハイマウントストップランプ４、ドアロックスイッチ５、リクエストスイッチ６、バックカメラ７等が挙げられるが、これらに限定されない。
【００２３】
図１及び図３に示すように、ワイヤハーネス８，９は、インナパネル１の第一の面１ａから第二の面１ｂにわたって貫通するように配索される。図１に示すように、ワイヤハーネス８，９は、デフォッガ２用の第一のワイヤハーネス（以下「デフォッガハーネス」という）８と、各電装品２〜７に電力を供給し、あるいは制御信号を送信するための第二のワイヤハーネス（以下「バックドアハーネス」という）９とを含む。なお、デフォッガ２は、バックドアの窓ガラス（図示せず）に設けられる電熱線（図示せず）と、デフォッガハーネス８が接続される端子２ａとを有する。
【００２４】
なお、以下の説明では、バックドアが車両に取り付けられ、閉じられている状態において、その鉛直方向を「上下方向」という。この上下方向に基づき、各構成要素の位置関係を「上」「下」の語を用いて説明する場合がある。また、以下の説明における「前」「後」の語は、車両の進行方向前方側又は後方側を意味する。また、車両の進行方向に直交する左右の方向を「横方向」という場合がある。
【００２５】
図１乃至図４に示すように、インナパネル１は、デフォッガハーネス８をインナパネル１の第一の面１ａから第二の面１ｂへと貫通させるための第一の開口部１０と、バックドアハーネス９を同じく第一の面１ａから第二の面１ｂへと貫通させるための第二の開口部１１とを有する。この他、インナパネル１は、窓ガラスを装着するための開口部１２及び艤装作業用の開口部１３を有する。また、インナパネル１は、その上部に、バックドアのヒンジを取り付けるためのヒンジ取付部１４と、バックドアハーネス９を車体側からバックドア側に導入するための挿通孔１５とを有する。
【００２６】
第一の開口部１０及び第二の開口部１１は、前方に突出する膨出部１６に形成されてなる。膨出部１６は、上下方向に対向する第一壁部１７と、横方向（左右方向）に対向する第二壁部１８とを有する。第一の開口部１０は、第一壁部１７に貫通形成されることで、上下方向に開口する。ここで、「上下方向に開口」とは、デフォッガハーネス８を上下方向に沿うように挿通することが可能な開口方向をいう。また、第二の開口部１１は、第二壁部１８に貫通形成されることで、横方向（水平方向）に開口している。ここで、「横方向に開口」とは、バックドアハーネス９を横方向に沿うように挿通することが可能な開口方向をいう。
【００２７】
図２に示すように、膨出部１６は、第一の面１ａ側から見ると前側（第二の面１ｂ側）に凹んだ凹部又は段部となっている。この構成により、膨出部１６は、上記の第一壁部１７及び第二壁部１８の他、膨出部１６の一部としての第三壁部１９及び第四壁部２０を有する。第三壁部１９は、前後方向に対向するように形成されている。第三壁部１９は、第一壁部１７及び第二壁部１８と一体に構成される。第四壁部２０は、上下方向に対向するように、すなわち、第一壁部１７と対向するように形成される。第四壁部２０は、第一壁部１７の下方に所定の距離をおいて形成される。第四壁部２０は、第二壁部１８の下部及び第三壁部１９の下部と一体に形成される。
【００２８】
第二壁部１８の下部２１は、第四壁部２０の端部から立設されている。これにより、第二壁部１８の下部２１は、インナパネル１の第一の面１ａ側の水分が、第四壁部２０から第二の開口部１１を通じて第二の面１ｂ側に侵入することを防止する止水壁として機能する。止水壁２１は、第二の開口部１１の下側に形成されている。
【００２９】
図１に示すように、デフォッガハーネス８は、一方の端部（上側の端部）がデフォッガ２の端子２ａに接続される。具体的には、この端部は、インナパネル１の第二の面１ｂ側でデフォッガ２の端子２ａに接続されており、デフォッガハーネス８は、インナパネル１において端子２ａの近傍に設けられる孔を通じて第一の面１ａ側へと配索される。この孔にはグロメット２２が装着されており、デフォッガハーネス８はこのグロメット２２に挿通されている。デフォッガハーネス８の他方の端部（下側の端部）は、インナパネル１を貫通して第二の面１ｂ側に配置され、インナパネル１の第二の面１ｂ側でバックドアハーネス９に接続されている（図３参照）。
【００３０】
バックドアハーネス９は、インナパネル１の第一の面１ａ側からインナパネル１を貫通して第二の面１ｂ側へと配索される。具体的には、バックドアハーネス９は、インナパネル１の第一の面１ａ側において、インナパネル１の挿通孔１５を通じて、バックドア内に導入され、ヒンジ取付部１４を横切り、下方に位置する第二の開口部１１まで配され、この第二の開口部１１に挿通されてインナパネル１の第二の面１ｂに配される。
【００３１】
バックドアハーネス９は、各電装品２〜７に接続される複数種の電線を含む。これらの電線は、インナパネル１の第一の面１ａ側では、その中途部が一本に集約されており（図１参照）、第二の面１ｂ側では、各電装品２〜７に対応して分岐している（図３参照）。このため、インナパネル１の第一の面１ａ側において、バックドアハーネス９の中途部の外径寸法は、デフォッガハーネス８の外径寸法よりも大きくなる。
【００３２】
図１及び図２に示すように、デフォッガハーネス８は、上下方向に開口する第一の開口部１０に挿通されることにより、インナパネル１の第一の面１ａ側で、下方に凸となる湾曲部８ａを形成する。この湾曲部８ａの突端は、第一の面１ａ側におけるデフォッガハーネス８の最下点Ｐ１を構成する。
【００３３】
図１及び図２に示すように、バックドアハーネス９の中途部は、固定部材であるクランプ２３を介して膨出部１６の第三壁部１９に固定されている。第三壁部１９には、クランプ２３のアンカー部を挿通する孔が形成されている。クランプ２３に支持されることにより、バックドアハーネス９は、インナパネル１の第一の面１ａ側で下方に凸となる湾曲部９ａを形成する。この湾曲部９ａの突端は、第一の面１ａ側におけるバックドアハーネス９の最下点Ｐ２を構成する。
【００３４】
バックドアハーネス９の最下点Ｐ２は、デフォッガハーネス８の最下点Ｐ１よりも下方の位置に設定される。図２に示すように、インナパネル１の第一の面１ａ側でバックドアハーネス９を支持するクランプ２３は、デフォッガハーネス８の最下点Ｐ１よりも下方位置で、かつ最下点Ｐ１よりも横方向、すなわち第二の開口部１１寄りの位置にオフセットされている。
【００３５】
バックドアハーネス９は、上記のようにインナパネル１の第一の面１ａ側で一本に集約された状態で第二の開口部１１に挿通されるが、第二の面１ｂ側では、図３に示すように、電装品２〜７に接続されるべく、複数の配線２４〜２８に分岐する。複数の分岐配線２４〜２８は、デフォッガハーネス８に接続される第一配線２４、リアワイパ３（ワイパモータ）に接続される第二配線２５、ドアロックスイッチ５に接続される第三配線２６、ドアロックスイッチ５に接続される第四配線２７、バックカメラ７に接続される第五配線２８を含む。なお、これらの配線２４〜２８の他、バックドアハーネス９は、インナパネル１の第一の面１ａ側で分岐してハイマウントストップランプ４に接続される第六配線２９を有する（図１参照）。
【００３６】
図３及び図４に示すように、第一配線２４は、インナパネル１の第二の面１ｂ側に配置されるデフォッガハーネス８の端部に接続される。デフォッガハーネス８は、インナパネル１の第一の開口部１０に挿通されることで、インナパネル１の第二の面１ｂ側では、第一の開口部１０から上方に突出するように配索される。デフォッガハーネス８の端部はコネクタ３０により第一配線２４に接続される。これにより、デフォッガハーネス８は、バックドアハーネス９からの電力をデフォッガ２に供給する。同様に、バックドアハーネス９は、各配線２４〜２９を通じて、他の電装品２〜７に制御信号、電力を送信ないし供給する。
【００３７】
上記の構成に係るワイヤハーネス８、９の配索構造によれば、経年劣化や損傷等の理由により、各ワイヤハーネス８,９の交換が必要となった場合、その作業を容易に行うことができる。以下、各ワイヤハーネス８，９の交換方法（メンテナンス方法）について説明する。既存のデフォッガハーネス８を新しいものに交換する場合、まず、バックドアからトリムボードを取り外し、インナパネル１の第二の面１ｂを露出させる。その後、既存のデフォッガハーネス８について、デフォッガ２との接続、及びバックドアハーネス９との接続を解除する。詳しくは、インナパネル１の第二の面１ｂ側からデフォッガハーネス８の上端部をデフォッガ２の端子２ａから取り外す。同様に、デフォッガハーネス８の下端部と第一配線２４とのコネクタ３０による接続を解除する。
【００３８】
その後、インナパネル１の第二の面１ｂ側において、デフォッガハーネス８の上端部を引き抜く。この場合、新たなデフォッガハーネス８をインナパネル１とアウタパネルとの間の内部空間に導入できるように、抜き取られるデフォッガハーネス８の下端部に紐等の誘導部材を連結しておく。これにより、既存のデフォッガハーネス８を引き抜くと、誘導部材は、第一の開口部１０からインナパネル１とアウタパネルの間の空間に導入され、さらには、グロメット２２が配されるインナパネル１の孔から第二の面１ｂ側とへと導出される。
【００３９】
さらに、この誘導部材の下端部に新たなデフォッガハーネス８の端部を連結し、誘導部材を同じように引き抜くと、この誘導部材に連結されている新たなデフォッガハーネス８は、誘導部材と同じ経路を辿って所定の位置に配される。この新たなデフォッガハーネス８を、デフォッガ２の端子２ａとバックドアハーネス９の第一配線２４とに接続することで、その交換作業が完了する。
【００４０】
バックドアハーネス９を交換する場合、まず、車体側に配設されるハーネス（図示せず）とバックドアハーネス９との接続を解除するとともに、各配線２４〜２９について、各電装品２〜７との接続を解除する。さらに、バックドアハーネス９を固定するクランプ２３をインナパネル１から取り外す。その後、バックドアハーネス９を、第二の開口部１１から引き抜く。このとき、クランプ２３は、インナパネル１の第一の面１ａに位置しているが、第二の開口部１１の近傍位置にあるため、クランプ２３をバックドアハーネス９と共に第二の開口部１１から第二の面１ｂ側へと容易に抜き取ることが可能である。
【００４１】
バックドアハーネス９を引き抜くに際し、バックドアハーネス９の上端部に紐等の誘導部材を連結しておく。これにより、バックドアハーネス９を引き抜くと、この誘導部材が、インナパネル１の挿通孔１５から第二の開口部１１に亘って、インナパネル１とアウタパネルとの間の内部空間に挿通されることになる。
【００４２】
その後、誘導部材に新たなバックドアハーネス９を連結し、この誘導部材をインナパネル１の第二の開口部１１から車室側に引き抜くことで、新たなバックドアハーネス９が挿通孔１５から第二の開口部１１に亘って挿通される。その後、インナパネル１の第二の面１ｂ側にて、新たなバックドア―ハーネス９にクランプ２３を取り付け、このクランプ２３を第二の開口部１１を通じて第一の面１ａ側へと配置する。さらに、このクランプ２３を第二の開口部１１を通じて操作し、膨出部１６の第三壁部１９へと固定する。また、車体側のハーネスと新たなバックドアハーネス９とを接続するとともに、新たなバックドアハーネス９の第一配線２４乃至第六配線２９を各電装品２〜７へと接続する。以上により、バックドアハーネス９の交換作業が終了する。
【００４３】
以上説明した本実施形態に係るワイヤハーネス８，９の配索構造によれば、上下方向に開口する第一の開口部１０にデフォッガハーネス８を挿通することにより、インナパネル１の第一の面１ａ側で、このデフォッガハーネス８の最下点Ｐ１を形成できる。これにより、デフォッガハーネス８を伝う水を、この最下点Ｐ１から落下させ、インナパネル１の第二の面１ｂ側（車室側）に水が浸入することを確実に防止できる。
【００４４】
デフォッガハーネス８は、インナパネル１の第一の開口部１０に挿通されることで湾曲状に変形し、その状態が維持されることになる。このため、クランプ等の固定部材を使用することなく、デフォッガハーネス８をインナパネル１の第一の面１ａ側に配索できる。これにより、デフォッガハーネス８の交換作業を容易に行うことができる。
【００４５】
また、バックドアハーネス９においても、インナパネル１の第一の面１ａ側で最下点Ｐ２を形成することで、バックドアハーネス９を伝う水を、第一の面１ａ側で、この最下点Ｐ２から落下させることができ、車室側への水の侵入を確実に防止できる。
【００４６】
バックドアハーネス９をインナパネル１の第一の面１ａに固定するクランプ２３は、インナパネル１の第一の面１ａ側において、デフォッガハーネス８の最下点Ｐ１よりも第二の開口部１１寄りの位置にオフセットされている。このため、デフォッガハーネス８の最下点Ｐ１から落下する水が、このクランプ２３に付着することを防止できる。これにより、クランプ２３の劣化を防止するとともに、クランプ２３からバックドアハーネス９に水が伝わることもない。
【００４７】
また、クランプ２３は、第二の開口部１１寄りの位置に配置されることにより、バックドアハーネス９を交換する場合に、第二の開口部１１からインナパネル１の第二の面１ｂ側へと容易に引き抜くことができる。これにより、バックドアハーネス９の交換作業を容易に行うことができる。
【００４８】
以上のように、本実施形態に係るワイヤハーネス８，９の配索構造では、交換時におけるデフォッガハーネス８の引き抜き方向とバックドアハーネス９の引き抜き方向とが異なる。また、インナパネル１の第一の面１ａ側では、デフォッガハーネス８の外径寸法とバックドアハーネス９の外径寸法とが異なる。このようにワイヤハーネス８，９における引き抜き方向や寸法の相違がある場合であっても、第一の開口部１０及び第二の開口部１１を個別に形成し、その開口方向を異ならせることにより、各ワイヤハーネス８，９の交換作業を容易に行うことが可能になる。
【００４９】
なお、本発明は、上記実施形態の構成に限定されるものではなく、また、上記した作用効果に限定されるものでもない。本発明は、本発明の要旨を逸脱しない範囲で種々の変更が可能である。
【００５０】
上記の実施形態では、縦開き型のバックドアを例示したが、これに限定されず、横開き型のバックドアにも本発明を適用できる。
【００５１】
上記の実施形態では、第一のワイヤハーネスとしてデフォッガ用のワイヤハーネス（デフォッガハーネス８）を例示し、第二のワイヤハーネスとして電力供給、通信用のワイヤハーネス（バックドアハーネス９）を例示したが、これに限定されない。バックドアハーネス９を第一のワイヤハーネスとして第一の開口部１０に挿通してもよく、デフォッガハーネス８を第二のワイヤハーネスとして、第二の開口部１１に挿通し、クランプ２３により固定してもよい。
【符号の説明】
【００５２】
１          インナパネル
１ａ        第一の面
１ｂ        第二の面
８          第一のワイヤハーネス
９          第二のワイヤハーネス
１０          第一の開口部
１１          第二の開口部
Ｐ１        第一のワイヤハーネスに係る最下点
Ｐ２        第二のワイヤハーネスに係る最下点
【図１】
2018034632.tif 000003
【図２】
2018034632.tif 000004
【図３】
2018034632.tif 000005
【図４】
2018034632.tif 000006